(57)【特許請求の範囲】
【請求項１】
バケツ形状の小便収集部材６と、
前記小便収集部材６にヒンジ結合され、その内部に配置されたポンプ５の入口５２が前記小便収集部材６の内に開放されて小便を吸入して前記ポンプ５の出口５３に前記小便を排出するポンプ部材３と、前記ポンプ部材３にギアヒンジ式に結合され、その内部に搭載される電池からの電力で前記ポンプ部材３内のポンプ５を駆動させる駆動部材２とを含むことを特徴とする女性用小便排出器。
【請求項２】
前記駆動部材２は、ホールディングクリップ８３に軸設されて回動及び停止されつつ電池を収容し、電源を供給する受納筒４と、先端部に設置されて電源をオン、オフさせるスイッチ９と、後端部に収容され、弾発ばねにより前記受納筒４の入口５２を開閉するドア１２とを含むことを特徴とする請求項１に記載の女性用小便排出器。
【請求項３】
前記駆動部材２の内側下部に長手方向にポンプ部材３内のポンプ５の出口５３から延びる小便排出ホース１３が貫通されるように貫通路が形成されることを特徴とする請求項１に記載の女性用小便排出器。
【請求項４】
前記小便収集部材６に挟まれ、会陰部に接する内側部分に斜めのプレートが形成された使い捨てパック７が設けられることを特徴とする請求項１に記載の女性用小便排出器。
【請求項５】
前記ポンプ部材３と前記小便収集部材６が連結されるヒンジ手段の中央に結合されて、小便をポンプ５の入口５２に排出させつつ前記使い捨てパック７を密着させる排出管１５を含むことを特徴とする請求項１に記載の女性用小便排出器。
【請求項６】
前記スイッチ９は、ポンプ５の回転速度を制御することができる可変抵抗型スイッチであることを特徴とする請求項２に記載の女性用小便排出器。
【請求項７】
前記使い捨てパック７の内面に健康状態または妊娠有無測定用テストペーパー１６が取り付けられることを特徴とする請求項４に記載の女性用小便排出器。
【請求項８】
前記使い捨てパック７の内面に小便飛散防止用不織布が取り付けられることを特徴とする請求項４に記載の女性用小便排出器。
【請求項９】
前記駆動部材２の貫通路に挟まれて先端へ突出される小便排出ホース１３に連結されて排出路を延ばす補助ホース１３’を含むことを特徴とする請求項１に記載の女性用小便排出器。
【請求項１０】
前記小便収集部材６の内にフロートスイッチが設置されることを特徴とする請求項１に記載の女性用小便排出器。
【請求項１１】
本体１の駆動部材２及びポンプ部材３を保護するように覆い被せるカバーを含むことを特徴とする請求項１に記載の女性用小便排出器。
【請求項１２】
中空型でなる本体１と、
前記本体１の内部に設置されて入口５２と出口５３とをそれぞれ構成しているポンプ５と、
前記本体１に設置されてポンプ５に供給される電流の流れを制御するスイッチ９と、
前記入口５２に結合されつつ本体１の外部に位置する流入ホース１３１と、
前記本体１の後尾に回動されるように設置され、上部が開放されたバケツ形状の収集部材６とより構成されることを特徴とする女性用小便排出器。
【請求項１３】
前記ポンプ５は円筒型でなるケーシング５５と、前記ケーシング５５の外周にコイルが巻かれた電磁石５４と、前記ケーシング５５の内部に配置された回転するインペラ５１とより構成されることを特徴とする請求項１２に記載の女性用小便排出器。
【請求項１４】
前記ポンプ５は、さらに、小便の流れを案内するガイド円板５６を有することを特徴とする請求項１３に記載の女性用小便排出器。
【請求項１５】
前記ポンプ５は、さらに、遠心補助インペラ５７を有することを特徴とする請求項１４に記載の女性用小便排出器。
【請求項１６】
前記ポンプ５は、本体１に対して着脱自在であることを特徴とする請求項１２に記載の女性用小便排出器。
【請求項１７】
前記本体１の底面８５にクリップ８８が設置されることを特徴とする請求項１２に記載の女性用小便排出器。
【請求項１８】
前記本体１の内部には通過する小便量を測定する流量測定器、スイッチ９に連結された電池の残余容量を表す電池寿命表示器、時間表示器などが具備されたシステム８６が内蔵され、前記本体１の底面には前記システム８６から出力される文字及び図形で表す表示窓８７が配置されることを特徴とする請求項１２に記載の女性用小便排出器。
【請求項１９】
前記本体１の内部には通過する小便量を測定する流量測定器、スイッチ９に連結された電池の残余容量を表す電池寿命表示器、時間表示器などが具備されたシステム８６が内蔵され、前記本体１の底面には前記システム８６から出力される文字及び図形で表す表示窓８７が配置されることを特徴とする請求項１３に記載の女性用小便排出器。
【請求項２０】
前記本体１の内部には通過する小便量を測定する流量測定器、スイッチ９に連結された電池の残余容量を表す電池寿命表示器、時間表示器などが具備されたシステム８６が内蔵され、前記本体１の底面には前記システム８６から出力される文字及び図形で表す表示窓８７が配置されることを特徴とする請求項１４に記載の女性用小便排出器。
【請求項２１】
前記収集部材６の内部に使い捨てパック７が設置されることを特徴とする請求項１２に記載の女性用小便排出器。
【請求項２２】
前記使い捨てパック７の内部に不織布１９が設置されることを特徴とする請求項２１に記載の女性用小便排出器。
【請求項２３】
前記使い捨てパック７の上部両側に内側方向に折り曲げられたプレート７１が一体に延びて形成されることを特徴とする請求項２２に記載の女性用小便排出器。
【請求項２４】
前記流入ホース１３１に金属でなるホースクリップ８３が設置されることを特徴とする請求項１２に記載の女性用小便排出器。
【請求項２５】
前記流入ホース１３１に金属でなるホースクリップ８３が設置されることを特徴とする請求項１３に記載の女性用小便排出器。
【請求項２６】
前記流入ホース１３１に金属でなるホースクリップ８３が設置されることを特徴とする請求項１４に記載の女性用小便排出器。
【請求項２７】
前記バケツ９１の内部に前記ホースクリップ８を付けたり外したりすることができるようにした磁石６２が設置されることを特徴とする請求項２４に記載の女性用小便排出器。
【発明の詳細な説明】
【０００１】
【発明の属する技術分野】
本発明は女性用小便排出器に関し、特に、小型ポンプを用いて収集部材の使い捨てパックに収集される小便を容易に排出するようにした女性用小便排出器に関するものである。
【０００２】
【従来の技術】
一般に、女性の小便排出行為は男性とは異なり下着を脱いだ後、座ったまま行うので身体が夥しく露出される問題点がある。従って、前記露出された身体を隠すためには密閉された場所の便器などを利用するが、野外で公衆トイレがない場合、身体の露出が必然的な排尿行為は女性には心的負担になるたけでなく、女性の男根劣等意識も来すことができる。
【０００３】
上記のように身体の過剰露出を減らし、座ったまま排尿行為をする劣等意識を克服するために大韓民国特許広報に掲載された‘女性用小便排出器’（広報番号第９５−５３３２号）が提案された。
【０００４】
前記先行技術の女性用小便排出器は女性の下着底面にバケツ形態の半球を形成し、半球の縁には軟らかい材質で吸着部位を作って小便の漏出を防止し、排尿終了時、小便の逆流を防止するために歯状の小便逆流防止装置を作り、排出管にシワを作って排出器の保管ポケットに保管し活動することができるものであって、前記の排出器は小便を排出する排出管を下着に取り付けて上側に折って保管ポケットに保管するように構成されているが、これは使用または保管するために下着に形成された保管ポケットから引き出したり挟みこんだりする場合、吸着部分が脆弱でよく分離されるので、使用が不便である問題点がある。また、女性の尿道は下の方に位置されていて下着の底面に向かって取り付けられた排出管に小便が収集されずに飛散されつつ下着が濡れてしまって繰り返して使用できなくなり、常に排出口を着用して活動しなければならないと言う問題点がある。
【０００５】
また、女性は平均的に一日に７〜８回の排尿行為と１〜２回の排便行為を行うが、全て便器を使うので、男性より便器の利用数が多くて公衆トイレの渋滞を来し、便器による疾病の感染が高く、正常排尿の能力を有する寝床依存患者の場合、排尿が非常に不便だと言う問題点がある。
【０００６】
【発明が解決しようとする課題】
従って、本発明は上記問題点を解決するために案出したものであって、本発明は携行途中で必要な時、男性のように会陰部に排尿収集用小便収集部材を位置させた後、収集される小便を排出用ポンプにより外部に容易に排出させることができる女性用小便排出器を提供することにその目的がある。
【０００７】
本発明の他の目的は排出される方向の設定が容易であるように本体の駆動部材及びポンプ部材、そして小便収集部材をヒンジ手段により回動されるように構成される女性用小便排出器を提供することにある。
【０００８】
本発明の更に他の目的は衛生的な排尿行為のために小便収集部材に使い捨てパックを使用することができ、前記使い捨てパックに健康状態または妊娠有無などを−判断できるようにする女性用小便排出器を提供することにある。
【０００９】
本発明の更に他の目的は動きが不自由な患者のために病床に横たわっている状態で看病人の助力を受けまたは自力で排尿行為を容易に行うことができるようにする女性用小便排出器を提供することにある。
【００１０】
【課題を解決するための手段】
上記目的を達成するために、本発明の請求項１に記載の女性用小便排出器はバケツ形状の小便収集部材６と、前記小便収集部材６にヒンジ結合され、その内部に配置されたポンプ５の入口５２が前記小便収集部材６の内に開放されて小便を吸入して前記ポンプ５の出口５３に前記小便を排出するポンプ部材３と、前記ポンプ部材３にギアヒンジ式に結合され、その内部に搭載される電池からの電力で前記ポンプ部材３内のポンプ５を駆動させる駆動部材２とを含むことを特徴とするものである。
【００１１】
本発明の請求項２に記載の女性用小便排出器は、請求項１の構成に加えて、前記駆動部材２はホールディングクリップに軸設されて回動及び停止されつつ電池を収容し、電源を供給する受納筒４と、先端部に設置されて電源をオン、オフさせるスイッチと、後端部に収容されつつ弾発ばねにより前記受納筒４の入口５２を開閉するドア１２とを含むことを特徴とするものである。
【００１２】
本発明の請求項３に記載の女性用小便排出器は、請求項１の構成に加えて、前記駆動部材２の内側下部に長手方向にポンプ部材３内のポンプ５の出口５３から延びる小便排出ホース４が貫通されるように貫通路が形成されることを特徴とするものである。
【００１３】
本発明の請求項４に記載の女性用小便排出器は、請求項１の構成に加えて、前記小便収集部材６に挟まれ、会陰部に接する内側部分に斜めのプレートが形成された使い捨てパック７が設けられることを特徴とするものである。
【００１４】
本発明の請求項５に記載の女性用小便排出器は、請求項１の構成に加えて、前記ポンプ部材３と前記小便収集部材６が連結されるヒンジ手段の中央に結合されて、小便をポンプ５の入口５２に排出させつつ前記使い捨てパック７を密着させる排出管１５を含むことを特徴とするものである。
【００１５】
本発明の請求項６に記載の女性用小便排出器は、請求項２の構成に加えて、前記スイッチ９はポンプ５の回転速度を制御することができる可変抵抗型スイッチであることを特徴とするものである。
【００１６】
本発明の請求項７に記載の女性用小便排出器は、請求項４の構成に加えて、前記使い捨てパック７の内面に健康状態または妊娠有無測定用テストペーパー１６が取り付けられることを特徴とするものである。
【００１７】
本発明の請求項８に記載の女性用小便排出器は、請求項４の構成に加えて、前記使い捨てパック７の内面に小便飛散防止用不織布が取り付けられることを特徴とするものである。
【００１８】
本発明の請求項９に記載の女性用小便排出器は、請求項１の構成に加えて、駆動部材２の貫通路に挟まれて先端に突出される小便排出ホース１３に連結されて排出路を延ばす排出ホース１３を含むことを特徴とするものである。
【００１９】
本発明の請求項１０に記載の女性用小便排出器は、請求項１の構成に加えて、前記小便収集部材６の内にフロートスイッチが設置されることを特徴とするものである。
【００２０】
本発明の請求項１１に記載の女性用小便排出器は、請求項１の構成に加えて、本体１の駆動部材１２及びポンプ部材３を保護するように覆い被せるカバーを含むことを特徴とするものである。
【００２１】
本発明の請求項１２に記載の女性用小便排出器は、中空型でなる本体１と、前記本体１の内部に設置されて入口５２と出口５３とをそれぞれ構成しているポンプ５と、前記本体１に設置されてポンプ５に供給される電流の流れを制御するスイッチ９と、前記入口５２に結合されつつ本体１の外部に位置する流入ホース１３１と、前記本体１の後尾に回動されるように設置され、上部が開放されたバケツ形状の収集部材６とより構成されることを特徴とするものである。
【００２２】
ポンプ５は、円筒型でなるケーシング５５と、前記ケーシング５５の外周にコイルが巻かれた電磁石５４と、前記ケーシング５５の内部に配置された回転するインペラ５１とより構成されることが好適である。
【００２３】
本体１の底面８５にはクリップ８８が設置されることが好適である。別の好適な態様では、前記本体１の内部には通過する小便量を測定する流量測定器、スイッチ９に連結された電池の残余容量を表す電池寿命表示器、時間表示器などが具備されたシステム８６が内蔵され、前記本体１の底面には前記システム８６から出力される文字及び図形で表す表示窓８７が配置される。
【００２４】
さらに別の好適な態様では、前記収集部材６の内部に使い捨てパック７が設置される。さらに別の好適な態様では、前記流入ホース１３１には、金属でなるホースクリップ８３が設置されることが好適である。
【００２５】
【発明の実施の形態】
以下、本発明の望ましい実施の形態を添付した図面と共により詳細に説明する。
【００２６】
図１は本発明の女性用小便排出器の一部を切り割りして示した分解斜視図であって、本体１は駆動部材２とポンプ部材３で分割形成され、分割された駆動部材２とポンプ部材３とは対応する位置に回動されるように結合されたギア２１とギア３１とが噛み合って回動されるようにピン１０によりヒンジ手段で結合される。
【００２７】
本体１の駆動部材２は受納筒４が挟まれる空間を有し、この空間の両側中央には受納筒４の回転及び停止状態のためにホールディングクリップ８が設置される。また、駆動部材２の先端側の周りには電源をオン、オフさせるスイッチ９を手で把持する状態によって左側または右側に設置して親指で作動できるようにし、前記スイッチ９の反対側には弾発ばね１１（図４参照）により前記受納筒４の入口を開閉するドア１２が配置され、下側には排出ホース１３が挟まれて先端へ突出されることができるように貫通路２２が形成される。
【００２８】
本体１のポンプ部材３は小型のポンプ５が収容される空間を有し、一側にピン１４のヒンジ手段により小便を収集する小便収集部材６と結合されて回動ができるようにし、収容されるポンプ５の入口５２と、出口５３に排出管１５及び排出ホース１３とが連結されるように構成される。
【００２９】
一方、小便収集部材６は本体１のポンプ部材３にピン１４のヒンジ手段により結合されて保管及び携帯時、ポンプ部材３の上側に折られるようになり、使用する時は一定の角度だけ回転させて使用するようになり、小便を収集するようになる。
【００３０】
一方、排出管１５はポンプ部材３と小便収集部材６とが連結されるヒンジ手段の中央に結合されて独立的に回動され、両側に形成されたフランジが小便収集部材６の内側に接して使い捨てパック７を完全に密着させつつ支持するようになり、収集される小便をポンプ５の入口５２に移動させる通路を提供するようになる。
【００３１】
前記ポンプ５は本体１のポンプ部材３に収容され、内部に永久磁石のインペラ５１が設置され、このインペラ５１はスイッチ９を介して供給される電流により回動されながら小便を排出させるようになり、インペラ５１の両側には前記排出管１５と連結される入口５２と前記排出ホース１３が連結される出口５３とが配置される。前記ポンプ５はこれに限らず、小便を排出する目的を遂行することができるギアなど通常の小型ポンプを使用しても構わない。
【００３２】
収納筒４は１．５Ｖ電池（充電用または使い捨て）３個が収容されるように形成され、本体１の駆動部材２のホールディングクリップ８に挟まれて、回動及び停止されつつ通常の接続方式により＋極はスイッチ９と接続され、−極はポンプ５に接続されるように結合される。
【００３３】
スイッチ９は電池の電源を短絡及び接続させるように連結されてポンプ５を作動させるようになり、ポンプ５の回転力の強弱が必要な時は可変用抵抗スイッチに代替して設置することによって可能になる。また、図８のように前記小便収集部材６の内にフロート９１及び駆動部２のスイッチ９と並列に連結されたフロートスイッチ９２を追加に設置して小便の収集と同時にフロートが上昇しながらヒンジ手段に設置されているフロートスイッチ９２を作動させて電源を自動で供給することによってポンプ５を作動させて駆動部２のスイッチ９とは別個に自動で小便を排出しても構わない。
【００３４】
前記小便収集部材６に挟まれる使い捨てパック７は折り畳まれた状態で保管及び販売され、使用する時広げれば小便を収集できる空間を得るようになり、会陰部に接して尿道を通じて排出される小便の飛散を防止し、小便を容易に収集することができるように両側長手方向にプレート７１が形成され、内面に小便の吸収効果を得、飛散を防止する不織布１９が取り付けられる。また、前記パック７の内側には必要によって自分で健康診断ができるように蛋白尿、血尿、糖尿及び妊娠有無などが測定できる試料材のテストペーパー１６を取り付けて使うこともできる。
【００３５】
一方、本発明は前記本体１の駆動部材２とポンプ部材３とを保護及び外観を美しくする樹脂材または織物などのカバー１７を覆い被せて使うことも可能である。
【００３６】
一方、動きが不自由な患者のために病床に横たわっている状態で看病人の助けでまたは自力で排尿行為を容易に行うことができるように図７のように駆動部材２の貫通路２２に挟まれて突出された小便排出ホース１３の先端に補助ホース１３’を連結して排出される小便を排水路または別途の小便筒に容易に収集することができる。
【００３７】
図面のうち、説明しない符号１８は本体１の駆動部材２の先端に結合されるキャップである。
【００３８】
このような本発明の小便排出器の使い方に対して説明する。
【００３９】
まず、本体１の駆動部材２にあるドア１２を下側に押せば開放される受納筒４の入口に電池を押し込んで受納筒４を１／３ずつ回転させてから繰り返して電池を押し込んだ後、駆動部材２、ポンプ部材３及び小便収集部材６を男性の排尿行為の姿勢と同じ位置の角度に調整した状態または小便収集部材６を図５のように回転させ、排出管１５を小便収集部材６の内面に接するようにした後、会陰部に小便収集部材６を位置させ、自然に本体１の駆動部材２とポンプ部材３とを排尿行為に便利な角度に調整しつつ、排尿する同時または直前にスイッチ９をオン状態に作動させてポンプ５を回転させる。
【００４０】
前記状態で尿道を通じて排出された小便はポンプ５の排出力により小便収集部材６に収集されると同時に排出管１５に流入されてポンプ５の入口５２及びインペラ５１を経て出口５３に移動され、続けられるポンプ５の排出力により小便は排出ホース１３に移動された後、外部に排出される。
【００４１】
前記のように小便収集部材６に収集された小便をすっかり排出した後にはスイッチ９をオフ状態に引き返してポンプ５の作動を中止させれば、排尿行為は完了し、再び携帯または保管するようになる。
【００４２】
また、小便収集部材６に図５及び図６のように別途の使い捨てパック７を使う時には、使い捨てパック７を広げられてから小便収集部材６に挟み込んで排出管１５に密着させつつ支持する状態で前述した排尿行為と同じように排尿すれば、小便はまず不織布１９に接して飛散されずに吸収され、多量の小便が吸収されれば、下側に流れて収集されると同時に両側に突出されているプレート７１により外部に飛散されることが効果的に防止されることによって直接小便収集部材６に小便を受けることより一層衛生的に処理でき、パック７の内側に取り付けられるテストペーパーを用いて健康状態及び妊娠有無などを測定することによって自分の健康状態を容易に確認することができるようになる。
【００４３】
一方、動きが不自由な患者のために病床に横たわっている状態で看病人の助力によりまたは自力で排尿行為をしようとする時は、図７のように駆動部材２の先端に結合されているキャップ１８を分離させた後、駆動部材２の貫通路２２に挟まれて突出された小便排出ホース１３の先端に補助ホース１３’を連結して排出される小便を排水路または別途の小便筒に容易に収集することができる。
【００４４】
図９ないし図１４は本発明による小便排出器の他の実施の形態を示すものであって、前記小便排出器はポンプ部材３と前記ポンプ部材３を作動する駆動部材２が一体に本体１に併合された構造を有する。
【００４５】
この実施の形態で収集部材６は、球形の底面を有した半円錐形態を有し、ヒンジにより後端壁８２の両側部に連結され、本体１は収集部材６と同じ形状を有して収集部材６の内へ収容されるように回転し、入口５２と出口５３を有したポンプ５は長手方向に配列され、入口５２に連結された流入ホース１３１は収集部材６の内部に延び、ポンプ５の出口５３に連結された排出ホース１３は小便を外側に排出するように配置され、溝８１は本体１の後端壁８２の中心線に形成されて流入ホース１３１を収容し、ドアを有した受納筒４１，４２は電池を収容するように後端壁８２の両側内部に形成され、羽片８３１を有したホースクリップ８３は両側に流入ホース１３１と結合され、磁石６２は収集部材６の前方壁６１に取り付けられてクリップが磁石６２にくっつくようにする。
【００４６】
ホースクリップ８３は羽片８３１の両側にほぼ９０°に折られる案内部８３２を具備して使い捨てパック７が収集部材６の形状に従って完全に広げられるようにする。これによって使い捨てパック７を含む収集部材６は小便を完全に収集するようになる。
【００４７】
本体１の内部に選択的に設置される電池寿命表示器及び流量測定器からの資料を文字または図形で示す表示窓８７（図１４参照）が本体１の底面に提供され、移動のためにクリップ８８が提供される。
【００４８】
図９は本発明の女性用小便排出器の一部を切り割りして分割させた状態を示した分解斜視図であって、小便を排出するポンプ５及びポンプ５を駆動させるスイッチ９、そして電池を収容することができる本体１と、前記本体１にヒンジ結合される小便収集部材６とを示している。
【００４９】
小便収集部材６は先端壁６１を基準として上部は開放され、下部は曲面となり、前方には脚の間に挟みつつ会陰部に容易に密着されるように狭くなる円錐を長手方向に切断して、その切断面を上部開放部としたバケツ形状に形成される。また、小便収集部材６の先端壁６１の両側は前記本体１の後端壁８２の外側にピン１４’によりヒンジ結合されて保管及び携帯時、本体１の上側を覆いつつ折られるようにし、使用する時は一定の角度だけ回転させて使用するようになり、小便を収集するようになる。
【００５０】
また、前記小便収集部材６の内に挟まれる使い捨てパック７は薄く折られた状態で保管及び販売され、使用する時広げれば、小便を収集することができる空間を得、会陰部に接して尿道を通じて排出される小便を受け、小便が外部に飛散されることを防止するために両側上段部の長手方向には一体に延びるプレート７１が形成され、内面には小便の飛散を緩和させる不織布１９が取り付けられる。
【００５１】
本体１は底面８５が緩めかな曲面形状であり、上部は前記小便収集部材６の形状と同じ形状で形成され、図１では長手方向の中央を基準として分割される構造で示しているが、これに限らず、底面８５が分割される構造で形成することもできる。また、本体１は折って保管及び携帯する時、体積を最小化するために小便収集部材６の内側に挿入できるように形成し、その内部中央の長手方向にはインペラ５１が内蔵され、両側に入口５２と出口５３が結合された小型のポンプ５が配置される。
【００５２】
前記ポンプ５の入口５２は前記本体１の後端部８２の中央下側で外部に露出されつつ本体１から付けたり外したりすることができる形状で形成されて流入ホース１３１が連結され、出口５３には排出ホース１３が連結される。
【００５３】
前記流入ホース１３１の一断は前記ポンプ５の入口５２に挟圧されて漏水を防止できるように結合され、他断は小便収集部材６の内に延びて配置され、容易に曲げることができるように中央部分のみにシワが形成された合成樹脂のホースを使用する。また、前記排出ホース１３は小便を外部に排出させることができるように本体１の先端部に配置され、動きが不自由な患者のために病床に横たわっている状態で看病人の助けでまたは自力で排尿行為を容易に行うことがきるように別途の延長用ホースなどが連結できる軽質の合成樹脂で成形することが望ましい。
【００５４】
また、前記本体１の後端壁８２の中央には前記小便収集部材６が折られる時、流入ホース１３１が挿入されることができる挿入溝８１を形成して保管する時、空間を減らすようになる。また、本体１の先端部の外側にはポンプ５を作動させるために電流を供給するスイッチ９を取り付けるが、手で便利に把持し、作動させることができる左側または右側の位置に取り付け、本体１の後端部の両側内部にはドア１２１，１２２を有する電池を収容させる受納筒４１，４２が形成される。
【００５５】
一方、前記小便収集部材６に収集される小便を排出するために延びている流入ホース１３１には両側に羽片８３１を有する金属のホースクリップ８３が結合され、前記ホースクリップ８３は流入ホース１３１の先端が収集部材６の下側に位置されることができるように支持すると共に使い捨てパック７を使用する場合、使い捨てパック７が移動されないように支持しつつ収集される小便を容易に吸入するようになる。また、前記小便収集部材６に挟まれる使い捨てパック７を所定の状態で拡張されて完全に広げられた状態を維持させるために前記ホースクリップ８３の羽片８３１の両側先端を折り曲げて延長させたガイド部８３２が一体に形成される。さらに、前記ガイド部８３２は別途の鋼板及び鋼線を取り付けることができるように形成して使い捨てパック７が広げられながら小便収集部材６に収容できるように支持する目的を遂行できる多様な形態で変形可能である。
【００５６】
また、前記流入ホース１３１に結合された金属のホースクリップ８３が移動されずに定められた位置にあるように小便収集部材６の先端壁６１に磁石６２を配置し、前記磁石６２の磁力により取り付けられているホースクリップ８３とホースクリップ８３とに挟まれている流入ホース１３１は小便収集部材６が回動する時、共に回転するようになる。
【００５７】
一方、本体１の内に収容されるポンプ５の一実施の形態で、その構成はコイルの巻かれた電磁石５４が外周に配置されたケーシング５５と、前記ケーシング５５の内部に配置されて回転するインペラ５１と、小便の流れを案内するガイド円板５６及び遠心補助インペラ５７とよりなる。前記インペラ５１と遠心補助インペラ５７とはスイッチ９を介して電流が外部に配置された電磁石５４のコイルに順次供給されることによって電磁石５４にＮ極が発生され、この時インペラ５１が同じ磁力により反発されながら回動されて小便を排出させる。前記ポンプ５の構成はこれに限らず、小便を排出する目的を遂行できる通常の小型ポンプを使用しても構わない。
【００５８】
そして、ポンプ１は入口５２及び出口５３に連結されている流入ホース１３１及び排出ホース１３と共に本体１から付けたり外したりすることができるようにして消毒及び部品などの交替が容易であるように構成されることが望ましい。
【００５９】
また、前記本体１の内部には流量測定器、電池寿命表示器、時間表示器等、通常の共用システム８６を統合または一部を選択し配置して、治療のための資料、管理及び生活に必要な情報が提供でき、前記システム８６から出力される内容を文字及び図形で示す表示窓８７を本体１の底面８５に配置して使用できる。
【００６０】
そして、上記本体１の底面８５にはポケット、腰ベルト等に挟んで保管及び携帯が容易であるようにクリップ８８が取り付けられる。
【００６１】
このような本発明の小便排出器の使い方に対して説明する。
【００６２】
まず、本体１の後端部の両側にあるドア１２１，１２２を開放してから受納筒４１，４２に電池を押し込んでドア１２１，１２２を閉じた後、小便収集部材６を所定の角度に回転させて排尿することが便利な位置の角度に調整した状態で排尿する同時または直前にスイッチ９をオン状態に作動させてポンプ５を回転させる。
【００６３】
前記状態で尿道を通じて排出された小便は小便収集部材６に収集されると同時にポンプ５の排出力により流入ホース１３１に流入されてポンプ５の入口５２及びインペラ５１を経て出口５３へ移動され、続けられるポンプ５の排出力により小便は排出ホース１３に移動された後、外部に排出される。
【００６４】
前記のように小便収集部材６に収集された小便を全て排出した後はスイッチ９をオフ状態に引き返してポンプ５の作動を中止させれば、排尿行為は完了し、再び携帯または保管するようになる。
【００６５】
また小便収集部材６に図１０及び図１１のように補助用使い捨てパック７を使用する時には、磁石６２に取り付けられているホースクリップ８３を人為的に持ち上げた後、広げられた使い捨てパック７を小便収集部材６に挟み込んで、ホースクリップ８３を元に引き返して使い捨てパック７に密着させれば、磁石６２の磁力によりホースクリップ８３が取り付けられて支持するようになり、この時、ホースクリップ８３に結合されている流入ホース１３１の先端が使い捨てパック７の下側に位置するようになり、前記状態で前述した排尿行為と同じに排尿すれば、小便はまず不織布１９に接して飛散されずに吸収される。この時、使い捨てパック７の両側に突出し形成されているプレート７１により外部に飛散されることが効果的に防止され、多量の小便が不織布１９に吸収されれば下側に流れ込んで収集されると同時に流入ホース１３１に流入された後、ポンプ５により排出させることによって直接小便収集部材６に小便を受けることより一層衛生的に処理できるようになる。
【００６６】
また、前記本体１内に装着されたシステム８６から排尿量の測定資料、電池の交替時期及び時間などの情報を提供することができ、その資料は本体１の底面８５に配置された表示窓８７に文字または図形で出力されて示されるので、治療の効果を高くして排出器の管理及び使用をより一層便利にできる。
【００６７】
また、本体１が収集部材６の回転により内側に挟まれれば体積が最小化になるので保管及び携帯が便利であり、本体１の底面８５に取り付けられているクリップ８８を用いてポケット及び腰ベルト等に挟んで携帯することによってより一層安全に管理でき、必要な時、容易に使用できるものである。
【発明の効果】
【００６８】
本発明はその構造が簡単で角度の調節が容易なので使用が非常に便利であり、使い捨てパックに小便を収集して衛生的なので、便器による感染から体を保護することができる。また、排尿はできるが動きが不自由な患者も容易に排尿することができ、パックの内側に取り付けられたテストペーパーを用いて病気または妊娠有無を検査することができて、自分で健康診断ができるものである。
【図面の簡単な説明】
【図１】本発明の排出器を一部切り割りした状態を示す分解斜視図である。
【図２】本発明の排出器の一部を示す側面図である。
【図３】図２のＡ−Ａ線の断面図である。
【図４】図２の縦断面図である。
【図５】本発明の排出器の作動状態を示す側面図である。
【図６】本発明の排出器の使用状態を示す側面図である。
【図７】本発明の排出器の先端に補助ホースを連結して使用する状態を示す側面図である。
【図８】本発明の他の実施の形態であって、電源を印加する別途のフロートスイッチが設置された状態を一部切り割りして示す側面図である。
【図９】本発明の排出器を一部切り割りした状態を示す分解斜視図である。
【図１０】図９の排出器の作動状態を示す作動図である。
【図１１】図９の排出器の作動状態を示す他の作動図である。
【図１２】図９の排出器の使用状態を示す斜視図である。
【図１３】図９の排出器の側面図である。
【図１４】図９の排出器の底面図である。
【図１】
0003545704.tif 000002
【図２】
0003545704.tif 000003
【図３】
0003545704.tif 000004
【図４】
0003545704.tif 000005
【図５】
0003545704.tif 000006
【図６】
0003545704.tif 000007
【図７】
0003545704.tif 000008
【図８】
0003545704.tif 000009
【図９】
0003545704.tif 000010
【図１０】
0003545704.tif 000011
【図１１】
0003545704.tif 000012
【図１２】
0003545704.tif 000013
【図１３】
0003545704.tif 000014
【図１４】
0003545704.tif 000015